(57)【要約】【課題】照明器具取付装置において、天井の厚みが薄くても、板バネ固定式の埋込型照明器具を取り付けることができ、室内側からの施工が可能で作業効率を良いものにする。【解決手段】取付装置１は、照明器具２が嵌め込まれる枠体３と、枠体３を天井Ｃに固定する固定具４と、を備える。枠体３は、天井Ｃの取付孔Ｃ１に嵌め込まれる筒状部３１と、筒状部３１の周縁部から延設された鍔部３２と、を有し、固定具４は、天井Ｃの室内面に係止される底部４１と、底部４１から立設された垂直部４２と、垂直部４２から折り返されて筒状部３１を挟みこむクリップ部４３と、天井Ｃの裏面と当接される当接部４４と、を有する。枠体３の筒状部３１内から固定具４を差し込むことで、枠体３を室内側からの作業により容易に取付孔Ｃ１に固定でき、作業効率が向上する。また、筒状部３１をスペーサとすることにより、天井Ｃの厚みが薄くても照明器具２を取り付けることができる。【選択図】図２
2013143318.tif 000002
【特許請求の範囲】
【請求項１】
埋込型の照明器具が嵌め込まれる枠体と、前記枠体を施工面に固定する固定具と、を備えた照明器具取付装置であって、
前記枠体は、施工面に形成された取付孔に嵌め込まれる筒状部と、前記筒状部の周縁部から放射状に延設されて施工面と当接される鍔部と、を有し、
前記固定具は、施工面に係止される底部と、前記底部から立設されて前記筒状部の内周に当接する垂直部と、前記垂直部から折り返されて前記垂直部との間で前記筒状部を挟みこむクリップ部と、前記クリップ部から延伸されて施工面の裏面と当接される当接部と、を有することを特徴とする照明器具取付装置。
【請求項２】
前記枠体は、前記筒状部に形成された孔部を有し、
前記クリップ部は、前記垂直部からＵ字形状に屈曲された屈曲部と、前記屈曲部とは逆方向に屈曲されて前記孔部に係止される係止凸部と、を有することを特徴とする請求項１に記載の照明器具取付装置。
【請求項３】
前記枠体は、前記鍔部と前記筒状部との接合部から外方に切り欠かれた切欠部を有し、
前記固定具の底部は、前記切欠部に嵌り込み、施工面と対向する面において前記鍔部と同一面にあることを特徴とする請求項１又は請求項２に記載の照明器具取付装置。
【発明の詳細な説明】
【技術分野】
【０００１】
本発明は、埋込型の照明器具を天井等の施工面に取り付けるための照明器具取付装置に関する。
【背景技術】
【０００２】
従来から、天井に形成された取付孔に埋め込まれて設置される埋込型照明器具が知られている。この種の埋込型照明器具として、光源部と、光源部からの光を出射する開口部を有する器具本体と、開口部の外周縁に形成された鍔部と、器具本体を天井の取付孔に固定するための板バネと、備えたものが知られている（例えば、特許文献１参照）。板バネは、鍔部の周縁に複数設けられ、鍔部の上方から斜め上方に伸びるように形成されている。
【０００３】
このような板バネを備えた埋込型照明器具を天井に設置するときは、まず、板バネの弾性力に抗して板バネの先端を器具本体の中心側に寄せて、その状態で器具本体及び板バネを取付孔に挿入する。そして、板バネから手指を離すと、板バネは取付孔の縁部に当接しながら、その付勢力によって、器具本体を上方に引き上げ、鍔部が天井の室内面に当接した状態で、器具本体が保持される。これにより、埋込型照明器具は天井の取付孔に取り付けられる。
【先行技術文献】
【特許文献】
【０００４】
【特許文献１】特開２０１０−７３４９０号公報
【発明の開示】
【発明が解決しようとする課題】
【０００５】
しかしながら、このような埋込型照明器具は、外側へ付勢された板バネが取付孔の周縁を押圧することによって天井の取付孔に保持される。そのため、天井の厚みが薄いと、板バネが取付孔の周縁を押圧できず、埋込型照明器具を天井の取付孔に保持できないことがある。一般的には、天井の厚みが７ｍｍ以下である場合には、天井の裏面側にスペーサを貼付して天井の厚みを補充して、このスペーサに板バネを当接させる方法が用いられる。ところが、この方法では、スペーサのサイズが天井の取付孔よりも大きいと、室内側から作業によってスペーサを取り付けることができない。一方、スペーサが小さいと、板バネがスペーサから外れやすくなり、照明器具を安定的に取り付けることができない。また、天井の裏面側にある取付孔の周縁に正確にスペーサを貼付する必要があり、施工における作業効率が悪い。しかも、スペーサを樹脂接着剤等で貼付する場合、樹脂接着剤の硬化に時間を要し、短時間で埋込型照明器具を設置できず、また、板バネの持続的な付勢力によってスペーサがズレたり、接着剤の経時的な劣化によりスペーサが外れる虞がある。
【０００６】
本発明は、上記課題を解決するものであり、天井等の施工面の厚みが薄くても、板バネ固定式の埋込型照明器具を取り付けることができ、室内側からの施工が可能で作業効率を良くすることができる照明器具取付装置を提供することを目的とする。
【課題を解決するための手段】
【０００７】
上記課題を解決するため、本発明は、埋込型の照明器具が嵌め込まれる枠体と、前記枠体を施工面に固定する固定具と、を備えた照明器具取付装置であって、前記枠体は、施工面に形成された取付孔に嵌め込まれる筒状部と、前記筒状部の周縁部から放射状に延設されて施工面と当接される鍔部と、を有し、前記固定具は、施工面に係止される底部と、前記底部から立設されて前記筒状部の内周に当接する垂直部と、前記垂直部から折り返されて前記垂直部との間で前記筒状部を挟みこむクリップ部と、前記クリップ部から延伸されて施工面の裏面と当接される当接部と、を有することを特徴とする。
【０００８】
上記取付装置において、前記枠体は、前記筒状部に形成された孔部を有し、前記クリップ部は、前記垂直部からＵ字形状に屈曲された屈曲部と、前記屈曲部とは逆方向に屈曲されて前記孔部に係止される係止凸部と、を有することが好ましい。
【０００９】
上記取付装置において、前記枠体は、前記鍔部と前記筒状部との接合部から外方に切り欠かれた切欠部を有し、前記固定具の底部は、前記切欠部に嵌り込み、施工面と対向する面において前記鍔部と同一面にあることが好ましい。
【発明の効果】
【００１０】
本発明によれば、枠体の筒状部内から固定具を差し込むことで、室内側からの作業により枠体を天井等の施工面の取付孔に容易に固定でき、作業効率を良くすることができる。また、枠体の筒状部を照明器具取付のためのバネ等に対するスペーサとすることにより、施工面の厚みが薄くても照明器具を取り付けることができる。
【図面の簡単な説明】
【００１１】
【図１】本発明の一実施形態に係る照明器具取付装置と、これを用いて天井に保持された埋込式の照明器具の側面図。
【図２】同取付装置の斜視図。
【図３】（ａ）は同取付装置の枠体の上面図、（ｂ）は側面図。
【図４】（ａ）は同取付装置の固定具の斜視図、（ｂ）は正面図、（ｃ）は側面図。
【図５】（ａ）（ｂ）は同取付装置を用いて埋込式の照明器具を天井に保持する手順を示す斜視図、（ｃ）は側断面図。
【図６】同取付装置を用いて天井に保持された埋込式の照明器具の一部拡大側断面図。
【発明を実施するための形態】
【００１２】
本発明の一実施形態に係る照明器具取付装置（以下、取付装置という）について、図１〜図６を参照して説明する。図１（ａ）（ｂ）に示すように、本実施形態の取付装置１は、埋込型の照明器具２が嵌め込まれてこれを天井Ｃに保持する枠体３と、この枠体３を天井Ｃに固定する固定具４と、を備える。本実施形態では、照明器具２が光源に固体発光素子（ＬＥＤ２１）を用いたＬＥＤ照明器具であり、天井Ｃに形成された円形の取付孔Ｃ１に照明器具２が埋め込まれる構成例に基づいて説明する。なお、照明器具２は、ＬＥＤ照明器具に限らず、例えば、光源に白熱電球又は蛍光灯等を用いた照明器具であってもよい。また、取付装置１が適用される施工面は天井Ｃに限らず、例えば、壁面又は床面であってもよい。
【００１３】
照明器具２は、複数のＬＥＤ２１が基板２２に実装された光源部２３と、光源部２３からの光を出射する開口部２４を有する器具本体２５と、開口部２４の外周縁に形成された鍔部２６と、を備える。鍔部２６は、天井Ｃと対向する面の外周縁が僅かに隆起しており、この外周縁より内周側が窪んでいる。この窪みには、後述する枠体３の鍔部３２（図２参照）及び固定具４の底部４１（図４参照）が収容される。また、照明器具２は、器具本体２５を取付孔Ｃ１に固定するための板バネ２７を備え、この板バネ２７が取付装置１の枠体３に係止される。また、照明器具２は、光源部２３を点灯制御するための電源ユニット２８を器具本体２５外に備え、電源ユニット２８は、天井Ｃの裏面に配置され、配線２９によって器具本体２５内の光源部２３と電気的に接続される。
【００１４】
図２に示すように、枠体３は、開口部Ｃ１に嵌め込まれる筒状部３１と、この筒状部３１の周縁部から放射状に延設されて天井Ｃの室内面と当接される鍔部３２と、を有する。筒状部３１は、所定の高さを有し、その内周が照明器具２の開口部２４の外周縁よりも僅かに大きくなるように形成されている。筒状部３１の高さは、外側へ付勢された板バネ２７の拡がりを制限できる程度の高さであり、例えば、１０〜２０ｍｍ（本例では１５．６ｍｍ）に設定される。鍔部３２は、その外周が、照明器具２の鍔部２６の窪みに収まるように、鍔部２６の外周縁よりも小さくなるように形成されている。そのため、照明器具２の鍔部２６と天井Ｃとの間に枠体３の鍔部３２が存在していても、照明器具２が天井Ｃの表面から浮き出ることを防止することができる。これら筒状部３１及び鍔部３２は、金属板をプレス成形する等により一体的に形成される。金属板には、例えば、０．６ｍｍ厚の鋼板が用いられる。垂直に配された筒状部３１と、これと直交するよう水平に配された鍔部３２とが一体成形されていると、筒状部３１の内方から外方に負荷される応力を鍔部３２が受け止めるので、筒状部３１が変形し難くなり、枠体３の全体強度を向上させることができる。
【００１５】
枠体３の筒状部３１には、所定間隔で複数の孔部３３が形成されている（図３（ａ）も参照）。孔部３３は、少なくとも３箇所に形成される。この孔部３３は、固定具４を取り付ける際の位置決めに用いられる。また、鍔部３２は、孔部３３の直下位置にある鍔部３２と筒状部３１との接合部から外方に切り欠かれた切欠部３４を有する（図３（ｂ）も参照）。固定具４は、枠体３おける孔部３３及び切欠部３４が形成された位置に夫々取り付けられる。
【００１６】
図４（ａ）乃至（ｃ）に示すように、固定具４は、天井Ｃの室内面に係止される底部４１と、底部４１から立設されて筒状部３１の内周に当接する垂直部４２と、垂直部４２から折り返されたクリップ部４３と、を有する。このクリップ部４３が、垂直部４２との間で筒状部３１を挟みこむことにより、固定具４が枠体３の筒状部３１に固定される。また、固定具４は、クリップ部４３から延伸されて天井Ｃの裏面と当接される当接部４４を有する。固定具４は、所定の弾性を有する一枚の金属片が切削加工及び折曲加工されることにより形成される。金属片には、例えば、０．８ｍｍ厚のステンレス板が用いられる。このように構成された固定具４は、枠体３における孔部３３及び切欠部３４が形成された位置に夫々取り付けられる。なお、固定具４を構成する金属片の厚みが、枠体３を構成する金属板よりも厚い場合、切欠部３４は、筒状部３１の高さ方向に大きく切り欠かれる（図３（ｂ）の拡大図参照）。
【００１７】
底部４１は、枠体３の切欠部３４に収容される大きさに形成される。垂直部４２は、底部４１に対して略垂直に立設される。垂直部４２の高さは、筒状部３１の高さよりも高くなるように設定される。
【００１８】
クリップ部４３は、垂直部４２からＵ字形状に屈曲された屈曲部４３ａと、屈曲部４３ａとは逆方向に屈曲されて孔部３３に係止される係止凸部４３ｂと、を有する。係止凸部４３ｂは一部が平坦に形成されており、この平坦部が垂直面４２と接している。当接部４４は、係止凸部４３ｂから、底部４１の先端側に伸び、底部４１と最も近接する箇所で折り曲げられている。係止凸部４３ｂ及び当接部４４は、弾性変形し易いように、底部４１、垂直部４２及び屈曲部４３ａに対して半分の幅になるように形成されている。
【００１９】
このように構成された取付装置１を用いて照明器具２を天井Ｃに保持する手順について、図５を参照して説明する。まず、図５（ａ）に示すように、天井Ｃに形成された取付孔Ｃ１に枠体３の筒状部３１が嵌め入れられる。このとき、鍔部３２が天井Ｃの室内面に当接されるので、筒状部３１は所定の深さで取付孔Ｃ１に嵌め入れられる。次に、作業者は、一方の手で枠体３の鍔部３２を天井Ｃに押し付けながら、他方の手に固定具４を持ち、この手を筒状部３１内から差し込む。そして、固定具４の当接部４４及び係止凸部４３ｂを、筒状部３１の上端縁から外周側に回り込ませて、係止凸部４３ｂを筒状部３１の孔部３３に係止させる。このとき、当接部４４が天井Ｃの裏面と当接される。そして、係止凸部４３ｂが孔部３３に係止された状態で、屈曲部４３ａをその付勢力に反するよう僅かに押し広げながら、底部４１を切欠部３４の側方から差し入れ、図５（ｂ）に示すように、底部４１を天井Ｃの室内面に係止させる。このとき、固定具４の底部４１は、切欠部３４に嵌り込み、天井Ｃの室内面と対向する面において鍔部３２と同一面になる。
【００２０】
この手順により、図５（ｃ）に示すように、底部４１と当接部４４とが天井Ｃを挟み込むことで固定具４と天井Ｃとが固定され、また、垂直部４２とクリップ部４３（係止凸部４３ｂ）とが枠体３の筒状部３１を挟み込むことで枠体３と固定具４とが固定される。また、枠体３のうち、孔部３３及び切欠部３４が形成された他の場所（本例では２箇所）にも、同様の手順で固定具４が取り付けられる。その結果、固定具４を用いて枠体３を天井Ｃに形成された取付孔Ｃ１に固定することができる。
【００２１】
枠体３を天井Ｃの取付孔Ｃ１に固定した後に、図６に示すように、照明器具２が枠体３に取り付けられる。この取り付け時には、作業者が板バネ２７の弾性力に抗して板バネ２７の先端を器具本体２５の中心側に寄せて、その状態で器具本体２５及び板バネ２７を枠体３の筒状部３１に挿入する。そして、板バネ２７から手指を離すと、板バネ２７は筒状部３１の縁部に当接しながら、その付勢力によって、器具本体２５を上方に引き上げ、照明器具２の鍔部２６が天井Ｃの室内面に当接した状態で保持される。これにより、照明器具２が天井Ｃの取付孔Ｃ１に取り付けられる。
【００２２】
このように構成された取付装置１によれば、枠体３の筒状部３１をスペーサとして照明器具２の板バネ２７に当接させることにより、天井Ｃの厚みが薄くても、照明器具２を取り付けることができる。また、枠体３の筒状部３１内から固定具４を差し込んで、枠体３を室内側からの作業により容易に天井Ｃの取付孔Ｃ１に固定することができ、接着等を行なう必要もないので、施工における作業効率を向上させることができる。また、当接部４４は、底部４１と最も近接する箇所で外方へ折り曲げられているので、固定具４を筒状部３１の上端縁から外周側に回り込ませることが容易であり、固定具４の取付は片手で作業することができ、施工性を良くすることができる。更に、固定具４は、クリップ部４３を変形させて、底部４１と天井Ｃの室内面との係合を解除すれば簡易に取り外すことができるので、枠体３も取付孔Ｃ１から容易に取り外すことができる。
【００２３】
また、係止凸部４３ｂ及び当接部４４は、ある程度弾性変形するように形成されているので、例えば、天井Ｃが厚いときには、当接部４４が底部４１とは反対方向に屈曲する。そのため、固定具４は、厚みの異なる天井Ｃに対しても柔軟に対応することができる。固定具４は、底部４１と当接部４４の距離が０．５〜７ｍｍ程度の範囲で可変となるように構成されることが望ましい。なお、固定具４の高さ寸法を大きく係止凸部４３ｂから当接部４４の長さを長くすれば、上記可変範囲を大きくすることができる。また、係止凸部４３ｂから当接部４４の幅寸法を大きくすれば、底部４１と当接部４４との間で天井Ｃを挟み込む保持力を大きくすることができる。また、固定具４を構成する金属片の材料を適宜に選択することにより、上記可変範囲及び保持力を調整することもできる。
【００２４】
なお、本発明は、上記実施形態に限らず、種々の変形が可能である。例えば、筒状部３１と天井Ｃの取付孔Ｃ１との間に、取付孔Ｃ１の開口径を調整し、また水漏れ等を防止するためのパッキン（不図示）が設けられ、パッキンと共に、枠体３及び天井Ｃが固定具４により固定されてもよい。また、枠体３は、照明器具２の開口部２４の大きさに応じて適宜のサイズのものが用いられるが、固定具４は、いずれのサイズの枠体３に対しても共用することができる。
【符号の説明】
【００２５】
１    照明器具取付装置
２    照明器具
３    枠体
３１    筒状部
３２    鍔部
３３    孔部
３４    切欠部
４    固定具
４１    底部
４２    垂直部
４３    クリップ部
４３ａ    屈曲部
４３ｂ    係止凸部
４４    当接部
Ｃ    天井（施工面）
Ｃ１    取付孔
【図１】
2013143318.tif 000003
【図２】
2013143318.tif 000004
【図３】
2013143318.tif 000005
【図４】
2013143318.tif 000006
【図５】
2013143318.tif 000007
【図６】
2013143318.tif 000008